(57)【特許請求の範囲】
【請求項１】
分岐ブレーカの２次側接続端子近傍に設けられた分岐ブレーカを分電盤等へ取り付けるためのネジ挿入部に配置され、前記ネジ挿入部に挿入して分岐ブレーカを取り付けるネジにより分岐ブレーカに共締めされて固定される装着部を有し、負荷アース線をアースする為のアース送り端子具であって、
他のアース送り端子具と導線を介して電気的に連結する送り端子と、当該送り端子に連結されて負荷アース線を接続する入線端子とを有するアース送り端子具。
【請求項２】
送り端子が左右方向に導線を挿通する挿通孔と挿通した導線を固定する固定手段とを有すると共に、入線端子が前方から負荷アース線を挿入する挿入孔と該挿入孔に挿入したアース線を固定する固定手段とを有する請求項１記載のアース送り端子具。
【請求項３】
装着部は、送り端子及び入線端子を有する本体から上方に伸びた支持棒を介して設けられ、支持棒上端から後方に突設して形成されて成る請求項１又は２記載のアース送り端子具。
【発明の詳細な説明】
【０００１】
【発明の属する技術分野】
本発明は、分岐ブレーカ２次側の配線接続をする際に、負荷アース線の配線もその分岐ブレーカの近傍で行うことを可能とするアース送り端子具に関する。
【０００２】
【従来の技術】
従来の住宅用分電盤内のアース線の接続状況を図４に示す。図４は住宅用分電盤２８の平面図を示し、アース線を有する３芯線で裏面開口部２６から引き込まれた負荷からの電線２３は分岐ブレーカ２０に接続されると共にアース線２７はスリーブ等でかしめられて、分電盤内に実装されているアース端子２５に一括して接続されている。
【０００３】
【発明が解決しようとする課題】
しかし、このようにアース線２７を１ヶ所にスリーブする方法は、分岐ブレーカ２０に接続する電線の長さとアース線の長さとが大きく異なるため、配線が面倒であったし結線作業も難しかった。
また、配線作業が改善されるように、アース端子２５を個々の分岐ブレーカ２０の近くに個別に設置し、アース線の長さとブレーカ接続線とが同程度の長さになるようにしようとすると、その分のアース端子２５の設置スペースが必要であり、配線スペースが無くなったり、分電盤の外形を大きくする必要が生じて、分電盤の設計変更を伴うため、容易に実施できるものではない。
【０００４】
そこで本発明は、上記問題点に鑑み、分電盤箱体の設計変更をすることなく、負荷からのアース線の接続作業を容易に行うことのできるアース送り端子具を提供することを課題とする。
【０００５】
【課題を解決するための手段】
上記課題を解決するために、請求項１の発明は、分岐ブレーカの２次側接続端子近傍に設けられた分岐ブレーカを分電盤等へ取り付けるためのネジ挿入部に配置され、前記ネジ挿入部に挿入して分岐ブレーカを取り付けるネジにより分岐ブレーカに共締めさて固定される装着部を有し、負荷アース線をアースする為のアース送り端子具であって、他のアース送り端子具と導線を介して電気的に連結する送り端子と、当該送り端子に連結されて負荷アース線を接続する入線端子とを有することを特徴とする。
【０００６】
請求項２の発明は、請求項１の発明において、送り端子が左右方向に導線を挿通する挿通孔と挿通した導線を固定する固定手段とを有すると共に、入線端子が前方から負荷アース線を挿入する挿入孔と該挿入孔に挿入したアース線を固定する固定手段とを有して成る。
【０００７】
請求項３の発明は、請求項１又は２の発明において、装着部は、送り端子及び入線端子を有する本体から上方に伸びた支持棒を介して設けられ、支持棒上端から後方に突設して形成されて成る。
【０００８】
【発明の実施の形態】
以下、本発明を具体化した実施の形態の１例を図面を基に詳細に説明する。図１は本発明に係るアース送り端子具を示し、（ａ）はその斜視図、（ｂ）は内部の渡り導体の斜視図である。図において、段違いに形成された２つの立方体形状部はアース送り端子具の本体１で、送り端子５を有する送り部２及び入線端子６を有する入線部３であり、送り部２を低くして左右に段違いに形成してある。そして、４は分岐ブレーカに装着するための装着片であり、後方に突出形成され、支持棒１３を介して送り部２、入線部３と共に樹脂製絶縁体により一体に形成されている。
【０００９】
送り端子５は、送り部２内に左右方向に貫通形成された挿通孔５ａと、挿通部５ａに挿通されたアース導線９を締着固定するネジ１０とから成り、ネジ１０を挿通孔５ａ内部で渡り導体７の一端に形成された筒部７ａに、上方から螺入するよう形成されている。また、入線端子６は、入線部３の前面に形成された挿入孔３ａと、挿入孔３ａに挿入されたアース線を締着固定するネジ１１とから成り、ネジ１１を挿入孔３ａ内部で渡り導体７の他端に形成された筒部７ｂに、上方から螺入するよう形成されている。
【００１０】
支持棒１３は、送り部２及び入線部３の間から上方に伸ばして形成され、アース送り端子具を分岐ブレーカに装着した際に、本体１が分岐ブレーカの２次側接続端子への電線接続操作の邪魔にならないように適切な長さを有している。そして、装着片４はその先端から後方に向けて突設形成され、中央には分岐ブレーカにネジ止めするためのネジ送通孔１５が設けられている。
また、装着片４は、図２に示すように分岐ブレーカ２０の取り付けネジ２１の挿入部２２の凹部形状に合わせて、挿入部２２に配置可能な外形形状となっている。
【００１１】
上記構成のアース送り端子具の装着手段を、図２の分岐ブレーカに取り付けた状態の斜視図、及び図３のその分岐ブレーカを取り付けた住宅用分電盤の平面図を基に説明する。アース送り端子具は図２に示すように、装着片４を分岐ブレーカ２０の２次側接続端子１９の間に設けられている取り付けネジの挿入部２２に配置し、そのネジ送通孔１５を介して取り付けネジ２１を挿入部２２に挿入して分岐ブレーカ２０を分電盤等に取り付ける。
こうすることで、アース送り端子具は分岐ブレーカに装着されると共に分岐ブレーカが分電盤２４に取り付けられる。
そして、設置された送り端子５に、一端をアース端子２５に接続したアース導線９を挿通してネジ１０で締着し、入線端子６に負荷からのアース線を挿入してネジ１１で締着すればよい。
【００１２】
尚、分電盤内への設置は、まず分岐ブレーカ２０と共に設置してからアース導線９を送り端子５に挿通しても良いが、先ずアース導線９を送り端子５に挿通してから分岐ブレーカ２０に装着して、その後アース導線９を締着しても良い。
また、この実施の形態では送り端子５と入線端子６との間に段差を設けたり、支持棒１３を有しているため、分岐ブレーカ２０に装着した送り部２は分岐ブレーカ２０の下方に突出することになるが、元々住宅用分電盤２４のブレーカの２次端子側にあたる分電盤底部は配線のための開口部２６が設けられているため、アース送り端子具装着の際に障害となることがない。
【００１３】
このように、アース端子が必要な個々の分岐ブレーカにアース送り端子具を設置可能としたものであるから、アース線を引き延ばして１ヶ所にまとめてスリーブする必要がなく、アース端子が１個のみの分電盤であっても配線及びアース線接続作業を簡略化できる。
また、個々の分岐ブレーカに独立して設置するため、回路増設に容易に対応することができるし、分電盤の構成や大きさ等を変更せず対応が可能であり、従来の分電盤にもそのまま使用することができる。
【００１４】
また、アース導線を左右に挿通するため、隣接する分岐ブレーカに装着されたアース送り端子具同士の連結をスムーズに行うことができるし、入線端子は前方からアース線を挿入するため、分岐ブレーカの２次側接続端子への電線接続と同一方向で接続することができる。更に、支持棒を設けることで、送り端子及び入線端子が分岐ブレーカの２次側接続端子への電線挿入の障害になることがないので、配線及び接続作業を容易に行うことができる。
【００１５】
尚、上記実施形態の場合、送り端子５、入線端子６いずれもネジによりアース導線９及びアース線を締着するようになっているが、バネ性を有する金属片を内蔵してネジ無し端子としても良い。また、本体は段違いに形成しなくとも良くアース導線９を左右に挿通可能で、アース線を前方から挿入可能であればよい。
【００１６】
【発明の効果】
以上詳述したように、請求項１の発明によれば、アース端子が必要な個々の分岐ブレーカにアース送り端子具を設置可能としたものであるので、アース線を引き延ばし１ヶ所にまとめてスリーブする必要が無くなり、配線及びアース線接続作業を簡略化できる。
また、個々の分岐ブレーカに独立しして設置するものであるから、回路増設に容易に対応することがでるし、分電盤の構成や大きさを変更せずに対応が可能であり、従来の分電盤にもそのまま使用することができる。
【００１７】
請求項２の発明のよれば、請求項１の発明の効果に加えて、導線を左右に挿通するため、隣接する分岐ブレーカに装着されたアース送り端子具同士の連結をスムーズに行うことができるし、入線端子は前方からアース線を挿入するため、分岐ブレーカの２次側接続端子への分岐線接続と同一方向で接続することができ、配線及び接続作業が容易である。
【００１８】
請求項３の発明によれば、請求項１又は２の発明の効果に加えて、支持棒を有するので、送り端子及び入線端子が分岐ブレーカに２次側接続端子への電線挿入の障害になることがない。
【図面の簡単な説明】
【図１】  本発明の実施の形態の一例を示し、（ａ）はアース送り端子具の斜視説明図、（ｂ）は内部渡り導体の斜視説明図である。
【図２】  分岐ブレーカに図１のアース送り端子具を装着した状態を示す斜視図である。
【図３】  図１のアース送り端子具を住宅用分電盤に設置した様子を示す平面図である。
【図４】  従来のアース線接続状況を示す住宅用分電盤に平面図である。
【符号の説明】
１・・本体、２・・送り部、３・・入線部、４・・装着片、５・・送り端子、５ａ・・挿通孔、６・・入線端子、６ａ・・挿入孔、９・・アース導線、１３・・支持棒、２０・・分岐ブレーカ、２１・・取り付けネジ、２２・・挿入部、２５・・アース端子。
【図１】
0003809032.tif 000002
【図２】
0003809032.tif 000003
【図３】
0003809032.tif 000004
【図４】
0003809032.tif 000005